(57)【要約】自動の組立分解装置を備えた前面パネルディスプレイである。前記装置においては、当該前面パネル（１）の裏面は、組立ユニット（１６）の爪作用によって２つのヒンジを形成するために板紙の２つの対（５）を収容し、関節結合板紙（９）を当該前面パネル（１）に直角に且つこれらの板紙間に平行に係止し、パネルの溝（３）及び板紙の溝（１２）及び同様に組立ユニット（１６）の作用によってディスプレイを真っ直ぐに維持する２つの支持部材を形成し、当該ディスプレイは、折り畳まれ且つコンパクトにされる。別の態様においては、前面パネルは、同じ組立分解装置を維持している唯一の板紙を収容し、他の態様においては、平行な板紙の対が等しく維持され且つ前面パネルに対して直角な位置に係止された状態で維持されて、ディスプレイが組立状態に維持される。
2010511180.tif 000002
【特許請求の範囲】
【請求項１】
自動組立分解装置を備えた前面パネルディスプレイであり、
溝（３）によって提供されるゴア（２）を備えた板紙部品（１）によって形成された１つの前面パネルによって構成され、その裏面（４）は、側面の全高さによって２つの板紙部品の対（５）を受け入れ、当該板紙の対の各々が翼部（７）を備えた固定板紙（６）によって構成され、翼部（７）は、関節結合可能な第二の板紙（９）と合致している翼部（８）と並置されており、前記固定板紙は刻み目（１０）及び（１１）を備えており、前記関節結合板紙（９）は、前記板紙（１）のゴア（２）及び溝（３）と合致した折り畳みを制限溝（１２）を備えており、一方、固定板紙（６）と関節結合板紙（９）との結合翼部（７）及び（８）は、溝（１１）及び（１２）に隣接して斜めの切れ目（１３）を備えていることを特徴とする自動組立分解装置を備えた前面パネルディスプレイ。
【請求項２】
請求項１に記載の自動組立分解装置を備えた前面パネルディスプレイであり、
結合部の翼部（７）及び（８）が、板紙部品（１）の中間点においてゴア（３）を受け入れ、上方及び下方において逆さフック形状の刻み目（４）を受け入れ、弾性のバンド（１５）が各々の翼部内に固定されており、当該弾性のバンドは、２つの後壁（１８）に隣接している２つの前壁（１７）を備えた四角形の部分によって構成された組立ユニット（１６）を固定しており、前記２つの後壁は共通の溝（１９）によって関節結合されており且つ切れ目（２０）によって分離されており、当該切れ目（２０）によって、組立ユニット（１６）は、固定板紙（６）と関節結合板紙（９）との並置された翼部（７）と（８）との間に導入され、前記組立ユニット（１６）は、弾性バンド（１５）によって張力をかけられて固定板紙（６）と関節結合板紙（９）との間で後壁（１８）上にもたれかかっていることを特徴とする自動組立分解装置を備えた前面パネルディスプレイ。
【請求項３】
請求項１又は２に記載の自動組立分解装置を備えた前面パネルディスプレイであり、
溝（１９）によって形成された爪装置と、後壁（１８）間に設けられた切れ目（２０）によって形成された分離部とを備え、加圧によって前記関節結合板紙の各々が係止状態に維持されてディスプレイを組み立てられた状態で且つ直立状態に維持するための後方支持部材の対を形成していることを特徴とする自動組立分解装置を備えた前面パネルディスプレイ。
【請求項４】
請求項３に記載の自動組立分解装置を備えた前面パネルディスプレイであり、
組立ユニット（１６）の爪作用によってディスプレイをゴア（３）と共に持ち上げることによって展開され且つ関節結合板紙（９）が自動的に開かれること、当該関節結合板紙をゴア（３）と共に折り畳んで重ねてディスプレイをコンパクトにすることを特徴とする自動組立分解装置を備えた前面パネルディスプレイ。
【請求項５】
請求項１，２，３及び４乃至のうちのいずれか一項に記載の自動組立分解装置を備えた前面パネルディスプレイであり、
前面パネル（１ａ）の裏面（４）に、溝（１２）を備えた唯一の板紙（２１）を固定し、当該板紙（２１）には刻み目（２２）が設けられており、当該刻み目に整合されている折り畳み可能なストリップ（２３）が刻み目（２２）から延びており、板紙（２１）は、もたれかかる端縁がその端部に斜面（２５）を備え且つ反対側の端部にはスプリット（２６）をも備えている翼部（２４）を突出させていることを特徴とする自動組立分解装置を備えた前面パネルディスプレイ。
【請求項６】
請求項５に記載の自動組立分解装置を備えた前面パネルディスプレイであり、
前面パネル（１ａ）の裏面（４）に固定され且つ翼部（２４）の斜面（２５）によって弾性バンド（１５）を収容することによって、スプリット（２６）内に導入される付加的な舌状部（２７）を備えている組立ユニット（１６）を固定する板紙（２１）を特徴とする自動組立分解装置を備えた前面パネルディスプレイ。
【請求項７】
請求項１，２及び３のうちのいずれか一項に記載の自動組立分解装置を備えた前面パネルディスプレイであり、
任意に、折り畳み可能なストリップ（２３）を形成している刻み目（２２）及び斜面（２５）を備えている翼部（２４）をも等しく備えている前面パネル（１ｂ）によって２つの板紙（２８）を収容し、前記板紙（２８）は、ストリップ（２３）及び前記組立ユニットを収容する斜面（２５）を備えた翼部（２４）によって前面パネル（１ｂ）の裏面（４）に固定されていることを特徴とする自動組立分解装置を備えた前面パネルディスプレイ。
【発明の詳細な説明】
【技術分野】
【０００１】
本願は、前面に並置状態で２つの板紙を受け入れる溝によって形成されたゴア（まち）を備えている前面パネルディスプレイであって、２つの板紙の各々が１以上の固定板紙とその他の折り畳み構造とによって構成されており、各対が翼部によって一体化されており、その刻み目がフック形状を有しており、弾性バンドの受け入れ部材が組立ユニットの組に張力をかけ且つ爪装置内で作用するようになされている前面パネルディスプレイに関する。前記ディスプレイを垂直方向に配置することによって、２つの後方プレートの対は、（爪作用によって）組立ユニット圧力を受け且つ折り畳みプレートを前面パネルに対して直角に自動的に係止させ、組み立てられたディスプレイを地中に支持された状態に維持する。地中から取り出されると、組立ユニットは、折り畳みプレートを押し付け、その溝及びこれらのプレートを開かせ且つパネル折り畳みゴアの溝によってディスプレイを自動的に閉じさせる。前記折り畳みゴアは、使用されていないときには、搬送、貯蔵及び積み込みのためにコンパクト化される。
【０００２】
任意に、同様に前面パネルに関して相互に直角に係止し且つ当該ディスプレイを組立状態に維持する２つの板紙のみを設けても良い。
他の態様においては、同じく前面パネルに対して直角に係止可能で且つ一方の側面が開かれたときに当該ディスプレイを閉じさせる唯一の板紙を設けても良い。
【背景技術】
【０００３】
自動の組立分解ディスプレイは、２００６年５月１８日に“トーテム型のディスプレイアセンブリの改良（ＩＭＰＲＯＶＩＮＧ  ＴＨＥ  ＡＳＳＥＭＢＬＹ  ＴＯＴＥＭ−ＴＹＰＥ  ＤＩＳＰＬＡＹ）”という名称の特許ＰＩ  ０６０２００６−２によって提案されており、当該特許においては、ディスプレイは、翼部によって並置状態に一体化され且つ基本的に内方へ曲がって楕円形状本体を形成し、溝によってゴアを折り畳んでいる２つの側面を備えている。
【０００４】
前記並置されている側部の翼部は、各ゴアの中間点にフック形状の刻み目を有し、当該刻み目は、上方部分及び下方部分において弾性端部を受け入れて組立ユニットに張力をかけ且つ張力をディスプレイ全体に亘って分布させている。
【０００５】
各組立ユニットは、四角形部分本体を備えており、当該四角形部分本体の壁は、溝によって関節状に結合され、その２つの隣接する壁は、切れ目によって分割されて、各分割片が弾性作用によって爪作用を有し、前記組立ユニットは、切れ目によって並置された翼部に挿入され且つ前記弾性端部によって張力をかけられた上方フックと下方フックとの間に配置されている。
【０００６】
このように配置されることにより、張力がかけられた組立ユニットの爪作用によって、その壁が並置状態のパネルの側面が外方へ付勢され且つ組立状態に維持される。
ディスプレイを折り畳ませるために、ユーザーは、側面を相互に押圧し、弾性抵抗をすり減らして組立ユニットを（その爪作用によって再び）平らにし、ディスプレイのゴアを折り畳み、運搬及び貯蔵をより容易にする。
【発明の概要】
【０００７】
上記特許ＰＩ  ０６０２００６−２と同じ発明者によって提案されている本願発明の目的は、溝によって折り畳まれたゴアを備えた前面ディスプレイを形成することである。当該溝は、２つの板紙の対の固定をその裏面において受け入れ、各対は、（上方及び下方が）逆にされたフック形状の刻み目を有している並置状態のそれらの翼部によって一体化された固定板紙と他の関節結合板によって形成されている。従って、当該板紙の対は、前方パネルの裏面に固定されている。
【０００８】
組立ユニットは、爪装置内で作用するフックによって導入されるであろう。前記爪装置は四角形の部分本体を備えており、当該四角形の部分本体の側壁及び後壁は前記溝によって関節結合可能であり、このような隣接する後壁は切れ目によって分割される。
【０００９】
このようにして、当該組立ユニットは、その切れ目によって板紙の対の並置状態の翼間に挿入され且つフック部に固定されている弾性体によって張力状態に維持される。
ディスプレイを同時にゴアの展開状態へとほんの少し持ち上げると、関節結合板紙は組立ユニットの爪の作用によって自動的に押圧され、それらは、ヒンジとして前面パネルに対して直角に突出せしめられ、このようにして、ディスプレイを真っ直ぐに維持するための一対の支持部材が形成され且つその前面を広告に曝すことができる。
【００１０】
ディスプレイが再度持ち上げられると、組立ユニットは、前記関節結合板紙を引っ張り、これはまた、ヒンジによって開いて、ゴアをその溝によって自動的に折り畳み、このようにして、ディスプレイは閉じられる。
【００１１】
これと同じ装置は、前面パネルの裏面に固定された小さな変更によって、ただ一つの板紙を関節結合するために適用される。これは、同様に、ディスプレイを組み立てられた状態に維持するために、前面パネルに対して直角な状態に係止する、一方、ディスプレイを閉じさせるためには、ディスプレイが開かれ、溝が前面パネルのゴアに合致し、当該装置が折り畳まれ且つコンパクトにされる。
【００１２】
別の態様においては、関節結合は、ちょうど２つの板紙内で生じ、前面パネルの裏面上に固定されて、前面パネルに直角に係止され且つ組み立てられた状態に維持される。
以上、表面的に説明したが、以下においては前面パネルのディスプレイを添付図面によって更に詳細に説明する。
【図面の簡単な説明】
【００１３】
【図１】図１は、一つの態様における真っ直ぐな状態の２つの板紙の対を備えた前面パネルディスプレイの斜視図であり、２つの開口した関節結合板紙に組立ユニットによって張力がかけられている。
【図２】図２は、板紙内に固定され且つ関節結合板紙を開いた状態に維持している組立体を示している、前図の側面図である。
【図３】図３は、前図によるディスプレイの後面図である。
【図４】図４は、前図による図であり、一方の関節結合板紙は既に開いており、他方はディスプレイのゴアと共に折り畳み目に対して開いている。
【図５】図５は、前図による図であり、関節結合板紙が爪作用を行っている組立ユニットの作用によって開かれた後に、その溝によって折り畳まれているディスプレイを示している。
【図６】図６は、後方斜視図であり、翼部によって結合された２つの板紙の対すなわち固定板紙と関節結合板紙とを示している。
【図７】図７は、前面パネルの裏面に固定された板紙を１つだけ備えている実施形態のディスプレイの斜視図である。当該板紙は、組み立てられたディスプレイが係止され且つ組立状態に維持するために、（舌状部によって固定された）組立ユニットを受け入れることによって、翼部によって前面パネルに固定されている。
【図８】図８は、前図の斜視図であり、折り畳まれているディスプレイ及び裏面板紙の一つの側面に対する開口部を示している。
【図９】図９は、翼部によって固定され且つ組立ユニットによって前面パネルに対して直角状態に係止されている２つの板紙による態様のディスプレイの斜視図である。
【発明を実施するための形態】
【００１４】
添付図面に従って、本発明による“自動組立分解装置を備えた前面パルスディスプレイ”は、溝（３）によって得られたゴア（２）を備えた板紙部品（１）によって形成された１つの前面パネルディスプレイによって構成されている。
【００１５】
板紙部品（１）は、その裏面（４）内にその側面高さ全体で２つの板紙の対（５）を収容しており、各対は、図６に主として示されているように、第二の関節結合板紙（９）と合致している翼部（８）に並置されている翼部（７）を備えた固定板紙（６）によって構成されている。
【００１６】
固定板紙（６）は、刻み目（１０）と溝（１１）とを備えており、関節結合板紙（９）は、折り畳み目を限定しており且つ板紙部品（１）、ゴア（２）及び溝（３）と合致している溝（１２）を備えている。
【００１７】
固定板紙（６）と関節結合板紙（９）との対（５）の結合のための翼部（７）及び（８）上には、溝（１１）と（１２）とに隣接した斜めの切れ目（１３）が形成されており、一方、結合部の翼部（７）及び（８）は、中間点においては、逆さフック形状の刻み目（１４）の上方及び下方の両方を収容している。
【００１８】
各々の刻み目（１４）の２つの端部間には、組立ユニット（１６）に張力をかけている弾性バンド（１５）が固定されている。組立ユニット（１６）の各々は、共通の溝（１９）によって関節結合された２つの後壁（１８）に隣接して２つの前壁（１７）を備えている四角形部分本体によって形成されており、後壁（１８）は切れ目（２０）によって分離されており、図４の細部“Ａ”に主として示されているように、組立ユニット（１６）は、当該切れ目（２０）によって、固定板紙（６）及び関節結合板紙（９）の並置された翼部（７）と（８）との間に導入されている。
【００１９】
弾性バンド（１５）はこのようにして張力をかけ且つフック（１４）の上方端部と下方端部との間に配置されており、各組立ユニット（１６）は、その後壁（８）を固定板紙（６）と関節結合板紙（９）との間にもたれかけている。
【００２０】
張力をかけられた組立ユニット（１６）の各々は、溝（１９）によって得られる爪作用及び後壁（１８）間の切れ目（２０）による分離によって、２つの関節結合板紙（９）を押圧された状態に維持している。
【００２１】
垂直方向の位置決めのために、関節結合板紙（９）は、前面パネルに対して直角に突出せしめられているヒンジとしての組立ユニット（１６）の爪作用によって自動的に押され、このようにして、図１，２及び３に示されているように、ディスプレイを真っ直ぐに維持するために、裏面（４）上に一対の裏面支持部材を形成し且つ広告が付された前面を露出させている。
【００２２】
ディスプレイがもう一度持ち上げられると、組立ユニット（１６）によって同じくヒンジとして開く関節結合板紙（９）が引っ張られ、その溝がゴア（２）及び溝（３）と整合せしめられ、自動の折り畳みがなされ、このようにして図５に示されているようにディスプレイが閉じられる。
【００２３】
当該ディスプレイのもう一つ別の態様においては、溝（１２）を備えている板紙（２１）のみが刻み目（２２）を備えており、当該刻み目（２２）から折り畳み可能なバンド（２３）が延びており、板紙（２１）はバンド（２３）によって前面パネル（１ａ）の裏面（４）に固定されている。板紙（２１）は、刻み目（２２）と整合された状態でその後方端縁から突出しており且つ端部に斜面（２５）を備えている翼部（２４）を備え且つ反対側にスプリットすなわち裂け目（２６）を備えている。
【００２４】
板紙（２１）は、バンド（２３）によってディスプレイの裏面（４）に固定され且つ翼部（２４）の斜面（２５）によって弾性バンド（１５）を収容して組立ユニット（１６）を固定している。このような態様においては、組立ユニット（１６）は、スプリット（２６）に組み入れられた付加的な舌状部（２７）を備えており、その結果、当該装置によって、前面パネル（１ａ）に対して板紙（２１）が直角に押圧され、係止され且つディスプレイが組み立てられた状態に維持される。
【００２５】
図８に示されているように、板紙（２１）が側方へ若干曲げられると、組立ユニット（１６）はその爪装置によって平らにされ、板紙（２１）の溝（１２）がゴア（２）及び溝（３）と合致してディスプレイを閉じることができる。
【００２６】
最後に、他の態様においては、当該ディスプレイは、折り畳み可能なバンド（２３）及び斜面（２５）を備えた翼部（２４）をも形成する刻み目（２２）を等しく備えている２つの板紙（２８）を収容することができる。当該態様においても同様に、板紙（２８）は、バンド（２３）によって前面パネル（１ｂ）の裏面（４）に固定されており、これらのバンドは、斜面（２５）を備えた翼部（２４）によって組立ユニット（１６）を受け入れている。当該装置によるものは、開かれた板紙（２８）を前面パネル（１ｂ）と直角に係止してディスプレイを組み立てられた状態に維持する。
【図１】
2010511180.tif 000003
【図２】
2010511180.tif 000004
【図３】
2010511180.tif 000005
【図４】
2010511180.tif 000006
【図５】
2010511180.tif 000007
【図６】
2010511180.tif 000008
【図７】
2010511180.tif 000009
【図８】
2010511180.tif 000010
【図９】
2010511180.tif 000011
【国際調査報告】
2010511180.tif 000012
2010511180.tif 000013
2010511180.tif 000014
2010511180.tif 000015
2010511180.tif 000016